Podtech/llm-jp-corpus-v4-ja_patent huggingface dataset:
(57)【要約】【課題】  新たに車上に冷凍機や冷媒を付加することなしに、燃料電池電気鉄道車両における搭載された水素を使用してリアクトルを超電導化する燃料電池を搭載する電気鉄道車両用平滑リアクトル装置を提供する。【解決手段】  燃料電池を搭載する電気鉄道車両用平滑リアクトル装置において、燃料電池電気鉄道車両に搭載される燃料としての液体水素７を用いて超電導化する線材からなるリアクトル３を具備する。【選択図】  図１
2010187433.tif 000002
【特許請求の範囲】
【請求項１】
燃料電池鉄道車両に搭載される燃料としての液体水素を用いて超電導化する線材からなるリアクトルを具備することを特徴とする燃料電池を搭載する電気鉄道車両用平滑リアクトル装置。
【請求項２】
請求項１記載の燃料電池を搭載する電気鉄道車両用平滑リアクトル装置において、前記超電導化する線材がＲＥ−Ｂａ−Ｃｕ−Ｏ材であることを特徴とする燃料電池を搭載する電気鉄道車両用平滑リアクトル装置。
【請求項３】
請求項２記載の燃料電池を搭載する電気鉄道車両用平滑リアクトル装置において、前記線材を２０Ｋの雰囲気とすることを特徴とする燃料電池を搭載する電気鉄道車両用平滑リアクトル装置。
【発明の詳細な説明】
【技術分野】
【０００１】
本発明は、半導体電力変換装置により主電動機を駆動する電気鉄道車両用平滑リアクトル装置に係り、特に、液体水素を燃料とする燃料電池を搭載する電気鉄道車両用平滑リアクトル装置に関するものである。
【背景技術】
【０００２】
従来、電気鉄道車両において、半導体電力変換装置、例えば、直流チョッパ変換器やコンバータ−インバータ変換器の中間直流段においては、高調波抑制のため、平滑リアクトル装置が必須となっている。その平滑リアクトル装置は大電流が流れるため、鉄心の有無にかかわらず、導体断面が大きく重量が大きい（下記非特許文献１参照）。因みに、従来使用されている常電導平滑リアクトルの場合は、素線は電気銅、周囲温度は３００Ｋ、インダクタンスは５．３ｍＨ、通電電流は３００Ａ、重量は２３５ｋｇである。
【先行技術文献】
【非特許文献】
【０００３】
【非特許文献１】秦  広，「鉄道車両用リアクトルの超電導化の検討」，第６７回  ２００２年度秋季低温工学・超電導学会，ｐｐ．２７０
【非特許文献２】山本  貴光，古谷  勇真，米山  崇，小川  賢一，「燃料電池車両の開発」，ＲＲＲ  ２００７．８，ｐｐ．１４−１７
【発明の概要】
【発明が解決しようとする課題】
【０００４】
上記したように、従来の常電導平滑リアクトルは、重量が２３５ｋｇにもなるので、これを軽量化することができれば、省エネルギー効果が大きいことは明らかである。
【０００５】
このような場合に、導体の超電導化により、平滑リアクトル装置の小型・軽量化という目的は達成できるが、現状の電気鉄道車両においては、冷凍機や冷媒が車上に搭載されていないために、これらの機器を搭載することになるとコスト高になってしまう。
【０００６】
ところが、昨今、燃料電池を搭載した鉄道車両の開発（上記非特許文献２参照）が提案・研究されている。
【０００７】
本発明は、かかる状況に鑑みて、新たに車上に冷凍機や冷媒を付加することなしに、燃料電池車に搭載された水素を使用して平滑リアクトルを超電導化する燃料電池を搭載する電気鉄道車両用平滑リアクトル装置を提供することを目的とする。
【課題を解決するための手段】
【０００８】
本発明は、上記目的を達成するために、
〔１〕燃料電池を搭載する電気鉄道車両用平滑リアクトル装置において、燃料電池鉄道車両に搭載される燃料としての液体水素を用いて超電導化する線材からなるリアクトルを具備することを特徴とする。
【０００９】
〔２〕上記〔１〕記載の燃料電池を搭載する電気鉄道車両用平滑リアクトル装置において、前記超電導化する線材がＲＥ−Ｂａ−Ｃｕ−Ｏ材であることを特徴とする。
【００１０】
〔３〕上記〔２〕記載の燃料電池を搭載する電気鉄道車両用平滑リアクトル装置において、前記超電導化する線材を２０Ｋの雰囲気とすることを特徴とする。
【発明の効果】
【００１１】
本発明によれば、燃料電池を搭載する電気鉄道車両用平滑リアクトル装置の重量が大幅に軽減され、省エネルギー効果を奏することができる。
【図面の簡単な説明】
【００１２】
【図１】本発明の実施例を示す超電導平滑リアクトル装置を備えた燃料電池を搭載する電気鉄道車両のシステム構成図である。
【発明を実施するための形態】
【００１３】
本発明の燃料電池を搭載する電気鉄道車両用平滑リアクトル装置は、燃料電池電気鉄道車両に搭載される燃料としての液体水素を用いて超電導化する線材を具備する。
【実施例】
【００１４】
以下、本発明の実施の形態について詳細に説明する。
【００１５】
図１は本発明の実施例を示す超電導平滑リアクトル装置を備えた燃料電池電気鉄道車両のシステム構成図である。ここで、実線は電気系統を、点線は燃料系統を示している。
【００１６】
この図において、１は燃料電池、２はチョッパ装置、３は超電導平滑リアクトル、４は平滑コンデンサ、５はインバータ装置、６は主電動機、７は液体水素、８は蒸発器である。
【００１７】
ここで、燃料電池１は燃料となる水素と、酸化剤となる酸素から水を生成しつつエネルギーを発生する装置であり、酸化剤となる酸素は空気中から得るため、燃料となる水素だけを車両に搭載する。この水素は液化され、断熱容器にて貯蔵されている。
【００１８】
超電導平滑リアクトル３の場合の一例を示すと、素線はＲＥ−Ｂａ−Ｃｕ−Ｏ材（希土類系線材）、温度は２０Ｋ、インダクタンスは６ｍＨ、通電電流は２２０Ａ、重量は５０ｋｇである。
【００１９】
このように、本発明の燃料電池電気鉄道車両に搭載される超電導平滑リアクトル３は、従来の常電導平滑リアクトルの場合の重量が２３５ｋｇであるのに比して５０ｋｇに低減することができるので、超電導平滑リアクトルの重量が大幅に軽減され、省エネルギー効果を奏することができる。
【００２０】
なお、本発明は上記実施例に限定されるものではなく、本発明の趣旨に基づき種々の変形が可能であり、これらを本発明の範囲から排除するものではない。
【産業上の利用可能性】
【００２１】
本発明の燃料電池を搭載する電気鉄道車両用平滑リアクトル装置は、車両重量が大幅に軽減され、省エネルギー効果を奏する平滑リアクトル装置として利用可能である。
【符号の説明】
【００２２】
１    燃料電池
２    チョッパ装置
３    超電導平滑リアクトル
４    平滑コンデンサ
５    インバータ装置
６    主電動機
７    液体水素
８    蒸発器
【図１】
2010187433.tif 000003
(57)【要約】      （修正有）【課題】二酸化炭素や硫黄・窒素酸化物の発生を抑えることができ、地球の温暖化防止や環境保全に努めることができるピストン機構を用いた発動機関を提供する。【解決手段】発動機関は、運動伝達部１、シリンダー２、電極Ａ３、電気導体４、電極Ｂ５、可動接続部６、任意の電流及び電圧を持つ電源７、任意の電気容量を持つコンデンサー８、導線９を備え、化石燃料ではなく電気によってピストン機構を作動させる。【選択図】図２
2010187518.tif 000002
【特許請求の範囲】
【請求項１】
本発明を利用した全ての発動機。
【請求項２】
本発明を改良して利用した全ての発動機。
【発明の詳細な説明】
【技術分野】
【０００１】  工業および産業分野。
【背景技術】
【０００２】  ピストン機構及びコンデンサーに関する。
【発明の概要】
【０００３】  本発明では、コンデンサーによる瞬間的で強力な電流及び電圧、加えて磁石による強力な磁界によって、フレミング左手の法則による一定方向に対する強力な力を得ることができる。そして、この力をピストン機構を介することによって回転運動として利用することができる。なお、本発明に利用した技術は広く世界に周知されたものであり、その利用した技術もその分野においては基本的なものなので、特許文献及び非特許文献の項目については省略した。
【発明が解決しようとする課題】
【０００４】  従来のピストンを用いた発動機関は化石燃料によって作動している。このため、二酸化炭素や硫黄・窒素酸化物を副産物として空気中に排出している。その結果、地球温暖化問題や大気汚染が問題になっている。
【課題を解決するための手段】
【０００５】  本発明では、発動機関を化石燃料ではなく電気によって作動させる。これにより、地球温暖化や大気汚染を引き起こす物質一切を排出することがなくなる。
【発明の効果】
【０００６】  本発明の利用によって二酸化炭素や硫黄・窒素酸化物の発生を抑えることが出来るので、地球温暖化防止や環境保全に努めることができる。
【図面の簡単な説明】
【０００７】
【図１】  発明したピストン機構の立体概要図。
【図２】  発明したピストン機構の断面図及びそのピストン機構に接続される電子回路図。
【図３】  電極Ａに電気導体が接触しながら下降していく。この時に要する時間は、コンデンサーの充電が完了するのに十分なものである。
【図４】  導体が電極Ｂに接触する。そして、コンデンサーに充電されていた電気が電気導体に流れ込む。この時、電気の流れる向きとシリンダーに外付けされている磁石の磁界の向きとがフレミング左手の法則を満たす。これによって上向きに力が発生する。
【発明を実施するための形態】
【０００８】  本発明を複数個利用することによって構成される発動機。
【実施例】
【０００９】  自動車及び船舶の発動機として利用する。
【産業上の利用可能性】
【００１０】  電気モーターの代替品としての利用。
【符号の説明】
【００１１】１  運動伝達部
２  シリンダー
３  電極Ａ
４  電気導体
５  電極Ｂ
６  可動接続部
７  任意の電流及び電圧を持つ電源
８  任意の電気容量を持つコンデンサー
９  導線
１０  磁石の発する磁界の向き
１１  任意の大きさの磁界を持つ磁石
１２  ピストンが動く向き
【図１】
2010187518.tif 000003
【図２】
2010187518.tif 000004
【図３】
2010187518.tif 000005
【図４】
2010187518.tif 000006
(57)【要約】【課題】利き眼を調べるための専用の器具を準備することなく、簡単に被検者の利き眼を調べることができる遮眼具を提供することにある。【解決手段】遮眼具は、視線を遮蔽する遮蔽部１０と、この遮蔽部１０に固定された握り部１２を備えている。そして、視線を通過させるための貫通孔１４が遮蔽部１０に形成されていて、その貫通孔１４を開閉自在に覆う蓋１６が遮蔽部１０に取り付けられている。貫通孔１４を蓋１６で覆えば、普通の遮眼具として用いることができる。蓋１６を動かして貫通孔１４を開けば、その貫通孔１４を利用して、利き眼を調べることができる。【選択図】図１
2010187786.tif 000002
【特許請求の範囲】
【請求項１】
視線を遮蔽する遮蔽部と、この遮蔽部に固定された握り部とを備える遮眼具において、
視線を通過させるための貫通孔が前記遮蔽部に形成されていて、
前記貫通孔を開閉自在に覆う蓋が前記遮蔽部に取り付けられている、
ことを特徴とする遮眼具。
【請求項２】
請求項１に記載の遮眼具において、前記蓋は、前記遮蔽部に対して揺動可能に取り付けられていることを特徴とする遮眼具。
【発明の詳細な説明】
【技術分野】
【０００１】
本発明は、視力検査の際に片眼の視線を遮蔽するための遮眼具に関するものである。
【背景技術】
【０００２】
人間の視力には「利き眼」（優位眼）があることが知られている。両眼で物を見たときに、その物を認識するために主として使われる側の眼を利き眼と呼んでいる。利き眼を簡単に調べる方法は次の通りである。両腕を前方に伸ばして両手の人差し指と親指で三角形の窓を作り、その窓を通して、遠くの目標物を両目で見る。その状態で左眼の視線を遮蔽したときに、窓の中にちょうど目標物が収まっていれば、右眼が利き目である。逆に、右眼の視線を遮蔽したときに、窓の中にちょうど目標物が収まっていれば、左眼が利き眼である。眼鏡店では、顧客の眼鏡を作るときに、顧客の利き眼を調べることがあるが、その際に、例えば、上述の方法で利き目を確認できる。
【０００３】
人間の利き眼を確認するための器具としては特公昭５６−２９５３９号公報（特許文献１）が知られている。この器具は、眼鏡調整用補助具であり、鏡の左右方向中央に縦線を形成している。被検者が鏡を見て、鏡に写る顔の鼻すじを縦線に一致させた後、左右の眼を一方ずつ覆って鏡に写った顔を観察し、縦線が顔の中心に合致して見える方の眼が利き眼である。
【０００４】
本発明は遮眼具の発明であるが、遮眼具に工夫を施した従来例を挙げると、例えば、特開２００８−３６３７０号公報（特許文献２）が知られている。この公知技術は、遮眼具の遮蔽部に散光板を用いることで、遮蔽部を通して検査者が被検者の遮蔽眼を観察することができる。遮眼具に対して、利き眼を調べるための工夫を施した例は知られていない。
【先行技術文献】
【特許文献】
【０００５】
【特許文献１】特公昭５６−２９５３９号公報
【特許文献２】特開２００８−３６３７０号公報
【発明の概要】
【発明が解決しようとする課題】
【０００６】
眼鏡店において、被検者の利き眼を調べるために簡単な器具があれば便利である。眼鏡店に普通に常備されている遮眼具を利用して、被検者の利き眼を調べることができれば、便利であるし、特別な器具を別個に準備しなくても済む。上述の特許文献１のようなものは、利き眼を調べることはできるが、専用の器具を準備する必要がある。
【０００７】
本発明の目的は、利き眼を調べるための専用の器具を準備することなく、簡単に被検者の利き眼を調べることができる遮眼具を提供することにある。
【課題を解決するための手段】
【０００８】
本発明の遮眼具は、視線を遮蔽する遮蔽部と、この遮蔽部に固定された握り部を備えるものである。そして、視線を通過させるための貫通孔が遮蔽部に形成されていて、その貫通孔を開閉自在に覆う蓋が遮蔽部に取り付けられている。貫通孔を蓋で覆えば、普通の遮眼具として用いることができる。蓋を動かして貫通孔を開けば、その貫通孔を利用して、利き眼を調べることができる。
【発明の効果】
【０００９】
本発明によれば、利き眼の検査具と遮眼具とを兼用させたことで、眼鏡店が常備している遮眼具を用いて、極めて簡単に被検者の利き眼を調べることができる。
【図面の簡単な説明】
【００１０】
【図１】図１は本発明の遮眼具の一実施例の正面図である。
【発明を実施するための形態】
【００１１】
図１は本発明の遮眼具の一実施例の正面図である。この遮眼具は遮蔽部１０と握り部１２からなる。握り部１２は遮蔽部１０に固定されている。握り部１２は被検者が手で握る部分である。遮蔽部１０は被検者の片方の眼の視線を遮蔽するものである。遮蔽部１０はおおよそ横長の楕円形状をしている。この遮蔽部１０の中央に円形の貫通孔１４が形成されている。貫通孔１４は蓋１６によって開閉自在になっている。蓋１６は貫通孔１４よりも少し大きな面積を備えていて、貫通孔１４を完全に覆うことができる。蓋１６は概略円形であり、その円周上の１か所が半径方向外側に突出している。この突出部１７のところで、蓋１６が、ネジ１８により、遮蔽部１０に対して揺動可能に取り付けられている。
【００１２】
図１の遮眼具の使用方法は次の通りである。蓋１６を、図１の想像線２０の位置まで揺動させると、貫通孔１４は蓋１６で覆われる。この状態で、この遮眼具は通常の視線遮蔽機能を発揮する。例えば、視力検査のときに、被検者の片眼の視線を遮ることができる。その場合、被検者は片眼のすぐ近くに遮眼具をもってくる。被検者の利き眼を調べるには、蓋１６を図１の実線で描いた位置まで揺動させて、貫通孔１４を開口させる。そして、遮眼具を持った被検者の腕を前方に伸ばして、両眼で見て、遠方の目標物が貫通孔１４の中に入るようにする。次に、例えば、左眼の視線を手で遮蔽したときに、窓の中にちょうど目標物が収まっていれば、右眼が利き目である。逆に、右眼の視線を手で遮蔽したときに、窓の中にちょうど目標物が収まっていれば、左眼が利き眼である。
【００１３】
上述の実施例では、貫通孔１４の形状は円形にしているが、貫通孔１４の形状は、三角形などのその他の形状にすることができる。また、蓋１６はネジ１８によって揺動可能にしたが、ピン結合によって揺動可能にすることもできるし、あるいは、横方向にスライド式にすることもできる。貫通孔１４を開閉自在にできれば、どのような蓋１６の構造を採用してもよい。
【符号の説明】
【００１４】
１０  遮蔽部
１２  握り部
１４  貫通孔
１６  蓋
１７  突出部
１８  ネジ
２０  想像線
【図１】
2010187786.tif 000003
(57)【要約】【課題】本発明は実写キャラクターをでストップ上のスクリーンセイバーとして映像化する事によって、今までにない付加価値をもたせ、経済的価値を創出させるものである。【解決手段】ブルーバック撮影技術と映像コーデック技術を組み合わせて、パソコン表示部に実写キャラクター動画を常時表示する為のコンピュータープログラムを開発。【選択図】図１
2010103962.tif 000002
【特許請求の範囲】
【請求項１】
ブルーバック撮影技術と映像コーデック技術を組み合わせて、パソコン表示部に実写キャラクター動画を常時表示する為のコンピュータープログラムであって実写キャラクターから撮影時の背景をキャンセルするステップ（Ａ）とキャラクターのみをデスクトップに表示するステップ（Ｂ）とその動画をデータ化しデスクトップセーバーとしてＷｅｂ上でダウンロードさせるステップ（Ｃ）からなるプログラム。
【請求項２】
実写キャラクターは音声を出すステップ（Ｄ）を伴う（請求項１）に記載のコンピュータープログラム。
【発明の詳細な説明】
【技術分野】
【０００１】本発明はパソコンのデスクトップ上に常時動画キャラクターを表示することが出来るコンピュータプログラムに関するものである。
【背景技術】
【０００２】パソコンのデスクトップ上の壁紙（スクリーンセイバー）は写真、もしくは非常にシンプルなアニメーション、というのが現状である。
壁紙はＷｅｂ上でダウンロードダウンロードされるケースが多いがそのほとんどは無料である。
…写真とアニメーションのどちらかであり、二つを組み合わせたもの、つまり実写のキャラクターが動き、音声を出すものは無い。
【特許文献１】特開２００４−１５２８８文献１は動画スクリーンセイバー作成システムであるが、音声を出すことは出来ない。
【発明の開示】
【発明が解決しようとする課題】
【０００３】パソコンの壁紙は、陳腐化しておりユーザーにも、Ｗｅｂで無料配布されるもの、という認識が固定化されている。
つまり、壁紙そのものに経済的価値はない。
本発明は実写キャラクターをでストップ上のスクリーンセイバーとして映像化する事によって、今までにない付加価値をもたせ、経済的価値を創出させるものである。
そのことでＷｅｂでのダウンロード時の課金や、販売促進キャンペーン等での使用を可能にする。
【課題を解決するための手段】
【０００４】上記課題を解決する為に請求項１に係るコンピュータープログラムはブルーバック撮影技術と映像コーデック技術を組み合わせて、パソコン表示部に実写キャラクター動画を常時表示する為のコンピュータープログラムであって実写キャラクターから撮影時の背景をキャンセルするステップ（Ａ）とキャラクターのみをデスクトップに表示するステップ（Ｂ）とその動画をデータ化しデスクトップセーバーとしてＷｅｂ上でダウンロードさせるステップ（Ｃ）からなるプログラム。
請求項２に係るコンピュータープログラムは実写キャラクターは音声を出すステップ（Ｄ）を伴う（請求項１）に記載のコンピュータープログラム。
【発明の効果】
【０００５】ブルーバック撮影技術と映像コーデック技術を組み合わせ、撮影時の背景がキャンセルされた、人物のみの実写映像をパソコンのデスクトップ上に常時表示可能にした。
デスクトップセーバーに今までにない高付加価値を付け、経済的価値を生み出した。
【発明を実施するための最良の形態】
【０００６】アルファ付きの映像素材を独自形式の映像フォーマットに変換する変換プログラムと、そのムービーをＰＣの画面上に表示する再生プログラムを作成。
まず、通常の映像フォーマットではアルファチャンネルを持つことができないので、通常のフォーマットに手を加えてアルファチャンネルを持つ動画フォーマットを作成。
通常の動画変換ソフトで元になるムービーを作成した後に、この変換プログラムを使って変換することでデータを作成。
再生プログラムが起動するとムービーファイルを読み込み、再生を始める。
再生時には毎フレームごとにＲＧＢ画像とアルファチャンネルの合成を行ない、画面の指定した位置・大きさに描画を行なう。
ムービーの再生が終了したことを検知すると再度ムービーの先頭から再生を開始する。
これら一連のプログラム開発。
【図面の簡単な説明】
【０００７】
【図１】パソコンデスクトップ上
【図２】フローチャート
【図３】ブロック図
【符号の説明】
【０００８】▲１▼従来の壁紙  ▲２▼画面の最上位のレイヤーに位置する実写人物  ▲３▼バックを青色の背景で撮影する  ▲４▼背景のみキャンセルする  ▲５▼通常のカラー画像  ▲６▼カラー情報をもたないマスク画像  ▲７▼パソコンにダウンロード  ▲８▼ムービーの再生時に毎フレームごとにＲＧＢ画像とアルファチャンネルの合成をおこなう。
【図１】
2010103962.tif 000003
【図２】
2010103962.tif 000004
【図３】
2010103962.tif 000005
(57)【要約】【課題】電子基板本体および基板上の電子部品のハンダ付け部分への熱の影響を抑える。【解決手段】電子基板上に配置される発熱が生じる電子部品を、各電子部品の発熱する時間の長さごとに区分し、発熱時間が比較的長い電子部品と発熱時間の短い電子部品を交互に配置することにより熱源を分散させ、電子部品による発熱の影響を、電子基板体および基板上に実装される電子部品のハンダ付け部分が受けないようにするという目的を、小さい実装面積で実現した。【選択図】図１
2010103213.tif 000002
【特許請求の範囲】
【請求項１】
電子基板上に配置される発熱が生じる電子部品を、各電子部品の発熱する時間の長さごとに区分し、発熱時間が、比較的長い電子部品と発熱時間の短い電子部品を交互に配置することにより熱源を分散させ、該電子基板体および基板上に実装される電子部品のハンダ付け部分への熱の影響を低減させることを特徴とする電子部品の配置方法。
【請求項２】
請求項１の電子部品配置方法により設計された電子基板。
【発明の詳細な説明】
【技術分野】
【０００１】
本発明は電子基板に関し、実装する電子部品を発熱する時間ごとに配置箇所を分散させることにより、電子基板本体および電子部品のハンダ付け部分への熱の影響を抑えることができるものである。
【背景技術】
【０００２】
電子基板に発熱が想定される抵抗器や半導体部品を実装する場合、電子基板自体の焼損、ハンダ付け部の劣化、熱伝導による他の電子部品の故障等を抑えるための対策を講じる必要がある。対策には大きく分けて二つの方法がある、一つは部品自体の発熱量を抑制する方法。もう一つは、発生した熱を発散させやすくする方法である。
【０００３】
部品自体の発熱量を抑制するには、部品の消費電力を抑える必要がある。しかし、消費電力を抑える為には、電気回路構成を変更しなければならない。その為、他の機器との信号をやり取りするインターフェース基板等では、この対策を採ることが難しい場合がある。
【０００４】
また、発生した熱を発散させやすくする方法としては、部品への放熱器を取付る、発熱部品の実装間隔を広げるなどがある。しかし、この方法は放熱のための面積が必要となり、部品実装できる面積が減少してしまう問題がある。
【０００５】
多数の入出力回路を持つインターフェース基板は、部品点数が多く基板面積に余裕が取れない上、部品自体の消費電力を下げることができないことが多かった。
【特許文献１】特開２００５−２５２０８１公報
【特許文献２】特開平５−１６７２０４公報
【特許文献３】特開平５−５７８５１公報
【発明の開示】
【発明が解決しようとする課題】
【０００６】
電子基板上の発熱部品の配置において、放熱のための面積を取ると、実装効率が下がってしまう点に問題があった。
【課題を解決するための手段】
【０００７】
本発明は、電子基板上に配置される部品を発熱する時間の長さごとに区分し、発熱時間が比較的長い電子部品と発熱時間が短い電子部品を、交互に配置する。
発熱時間の長短は電子部品の自己発熱の飽和時間によって区分を行う。
【発明の効果】
【０００８】
本発明の実装方法は、発熱時間が比較的長い電子部品と発熱時間が短い電子部品を、交互に配置するため、少ない面積で電子部品の発熱対策を実施することができる。
【発明を実施するための最良の形態】
【０００９】
電子部品による発熱の影響を、電子基板本体および基板上に実装される電子部品のハンダ付け部分が受けないようにするという目的を、小さい実装面積で実現した。
【実施例１】
【００１０】
図１は、本発明の実装の実施例の上面図である。１a〜1dが発熱時間の比較的長い電子部品、2a〜2dが発熱時間が短い電子部品、3が１a〜1d、2a〜2dを実装するプリント基板である。
【００１１】
電子部品1a〜1dの間に電子部品2a〜2dを配置する。電子部品1a〜1dは発熱時間が長いため高温となるが、電子部品2a〜2dは発熱時間が短いため高温とならず、電子部品2a〜2dの実装されている部分を、電子部品1a〜1dの放熱に寄与させることができる。その結果、プリント基板３やハンダ付け部分4に対する発熱の影響を抑えることができた。
【産業上の利用可能性】
【００１２】
電子回路の以外の発熱が生じる機器にも応用可能である。
【図面の簡単な説明】
【００１３】
【図１】電子部品配置の実施方法を示した説明図である。（実施例１）
【符号の説明】
【００１４】
1a〜1d  発熱時間の比較的長い電子部品
2a〜2d  発熱時間が短い電子部品
3       プリント基板本体
4       電子部品のハンダ付け部分
【図１】
2010103213.tif 000003
(57)【要約】      （修正有）【課題】コンセント盤に柱状の窪み加工を施す事で、抜け防止と漏電火災の防止を可能にするコンセントの提供。【解決手段】コンセント盤5に柱状の窪み加工を施す事で、電極部が窪みや穴2の奥で密閉されて防水と防塵を実現し、プラグが自重で垂れ下がる際の力学的な支点を変えた事により、電極6が露出する事を防げる。【選択図】図１
2010103004.tif 000002
【特許請求の範囲】
【請求項１】
電源プラグの頭1（電極6に近い部分の柄）を幾何学的な楕円柱の形に加工したプラグ。
【請求項２】
電源プラグの頭1（電極6に近い部分の柄）と同じ楕円柱の形で、窪み2や穴2を加工したコンセント盤5。
【請求項３】
電源プラグの頭1（電極6に近い部分の柄）を幾何学的な長方柱の形に加工したプラグ。
【請求項４】
電源プラグの頭1（電極6に近い部分の柄）と同じ長方柱の形で、窪み2を加工したコンセント盤5。
【請求項５】
窪み加工を施したコンセント盤5の奥に、コンセント電極（電極の挿入穴）3を配置する構造。
【請求項６】
従来のプラグも使えるよう、コンセント盤5の窪み2を、従来のプラグの頭1（電極3に近い部分の柄）よりも大きく加工する工夫。
【請求項７】
コンセント盤5の窪み2や穴2だけを加工したソケット板4を用意して、従来のコンセント盤にかぶせるだけで使えるようにする工夫。
【請求項８】
コンセント盤5の窪み2や穴2の形を、どんな角度でもハマってしまう円や正方形ではなく、楕円や長方形など上下逆の２通りにしかハマらない形状に加工する事で、常にプラグの電極6がコンセントの電極穴3に挿入され易い位置に来る工夫。
【請求項９】
コンセント盤5の窪み2や穴2の側面にゴム襞7を設けて、プラグがハマった時にゴム襞7がプラグ側面を密封する事で、コンセント盤5の電極部に水やホコリが侵入しにくくする工夫。
【発明の詳細な説明】
【技術分野】
【０００１】
本発明は、抜け防止と漏電火災を防止するソケット・プラグに関するものである。
【背景技術】
【０００２】
従来のソケット・プラグは、抜け易く漏電火災が起こり易かった。
【０００３】
この改善策として、コンセント盤5に柱状の窪み加工を施せば、抜け防止と漏電火災を防止できるソケット・プラグになる。
【発明の開示】
【発明が解決しようとする課題】
【０００４】
解決しようとする問題点は、ソケット・プラグの構造では抜け易く漏電火災が起こり、トラッキング現象を引き起こす事である。
【課題を解決するための手段】
【０００５】
本発明は、書面のコンセント盤5に柱状の窪み加工2を施す。
【発明の効果】
【０００６】
本発明のソケット・プラグは、コンセント盤5が抜け防止と漏電火災を防止する。
【発明を実施するための最良の形態】
【０００７】
コンセント盤5に柱状の窪み加工2を施す事で、抜け防止と漏電火災の防止を実現した。
【実施例１】
【０００８】
図１は、本発明の１実施例として、プラグをコンセント盤5に挿入した図である。
【実施例２】
【０００９】
図２は、本発明のコンセント盤5に柱状の窪み加工を施して、抜け防止と漏電火災を防止する図である。
【産業上の利用可能性】
【００１０】
本発明は、住居や工場の壁やテーブルタップ、自動車や船舶の室内など、水とホコリによる漏電火災を防ぐあらゆる用途に使用できる。
【図面の簡単な説明】
【００１１】
【図１】ソケット・プラグの実施方法を示した説明図である。（実施例1）
【図２】コンセント盤5に柱状の窪み加工を施す構造を示した説明図である。（実施例2）
【符号の説明】
【００１２】
1   電源プラグの頭
2   窪みや穴
3   コンセント電極（電極の挿入穴）
4   ソケット板
5   コンセント盤
6   プラグの電極
7   ゴム襞
【図１】
2010103004.tif 000003
【図２】
2010103004.tif 000004
(57)【要約】【課題】  充電プラグ1と充電コンセント9をキー爪2で施錠してロックする事で、充電器10から離れている間は誰にも外せない防犯効果を実現する。【解決手段】  充電プラグ1に施錠＆解錠できるキー爪2を内蔵し、充電コンセント9の窪み穴3にキー爪2がかかる溝4を施す事で、両者をキー爪2でしっかり施錠して、素早く簡単に防犯ロックできる屋外充電を可能にする。【選択図】              図1
2010103003.tif 000002
【特許請求の範囲】
【請求項１】
充電プラグ1の柄の所に電動キー爪2を設けて、充電器10のコンセントの窪み3の側面の溝4にキー爪2をかけて、充電中にプラグをコンセントに施錠できる構造。
【請求項２】
充電器10のコンセントに充電プラグ1の柄がピッタリ挿入できる窪み3や穴3を設けて、その窪み穴3の側面にキー爪2をかける溝4を設ける構造。
【請求項３】
充電プラグ1の柄の所に鍵穴5と鍵シリンダー6を設けて、電動キー爪2が故障した時に、自動車の鍵7を使って手動で施錠＆解錠できる仕組み。
【請求項４】
自動車のワイヤレスキー7で自動車のドアを施錠＆解錠する時に、充電プラグ1の柄もそれに連動して、電動キー爪2が自動的に施錠＆解錠できる工夫。
【請求項５】
自動車のワイヤレスキー7で自動車のドアを施錠＆解錠する時に、充電プラグ1の柄の電球8も点滅して、電動キー爪2が正常に動作している事を目視できる工夫。
【発明の詳細な説明】
【技術分野】
【０００１】
本発明は、電気自動車やハイブリッド自動車や電動機械のバッテリー蓄電池を充電するプラグの施錠に関するものである。
【背景技術】
【０００２】
従来の充電プラグは、誰でも自由に抜き差しできて、悪戯やコンセントの不正な横取りが簡単にできてしまう危険性があった。
【０００３】
この改善策として、充電プラグ1と充電コンセント9をキー爪2で施錠してロックすれば、不在中の悪戯やコンセントの不正な横取りや犯罪を防止できる。
【発明の開示】
【発明が解決しようとする課題】
【０００４】
解決しようとする問題点は、従来のプラグでは誰でも自由に抜き差しできて、悪戯やコンセントの不正な横取りが簡単にできてしまう事である。
【課題を解決するための手段】
【０００５】
本発明は、書面の充電プラグ1と充電コンセント9を、キー爪2で施錠してロックする。
【発明の効果】
【０００６】
本発明の充電プラグは、充電プラグ1と充電コンセント9を施錠ロックして外せない状態にする事で、不在中の悪戯やコンセントの不正な横取りや犯罪を防止する。
【発明を実施するための最良の形態】
【０００７】
充電プラグ1に施錠＆解錠できるキー爪2を内蔵し、充電コンセント9の窪み穴3にキー爪2がかかる溝4を設けて、充電器10から離れている間は誰にも外せない仕組みにして、高い防犯効果を発揮する。
【実施例１】
【０００８】
図１は、本発明の１実施例として、本発明の充電プラグ1と充電コンセント9がキー爪2で施錠してロックされて、充電器10から離れている間は誰にも外せない仕組みを示した図である。
【実施例２】
【０００９】
図２は、本発明の施錠＆解錠できるキー爪2を内蔵した充電プラグ1と、窪み穴3にキー爪2がかかる溝4を施した充電コンセント9の構造の図である。
【産業上の利用可能性】
【００１０】
本発明は、電気自動車やハイブリッド自動車やゴルフカート車、電動自転車や電動老人カー、電動フォークリフトや電動バイクなど、あらゆる電動機械装置の屋外充電の用途に使用できる。
【図面の簡単な説明】
【００１１】
【図１】充電プラグ1を充電コンセント9に施錠する際の実施方法を示した説明図である。（実施例1）
【図２】充電プラグ1と充電コンセント9をキー爪2で施錠してロックする構造を示した説明図である。（実施例2）
【符号の説明】
【００１２】
1   充電プラグ
2   キー爪
3   充電器のコンセントの窪みや穴
4   窪み穴の側面に施された溝
5   充電プラグの柄の所に設けられた鍵穴
6   充電プラグに内蔵された手動＆電動の両用の鍵シリンダー
7   自動車の鍵
8   充電プラグの柄の電球
9   充電コンセント
10   充電器
【図１】
2010103003.tif 000003
【図２】
2010103003.tif 000004
(57)【要約】【課題】乳幼児とペットを同時に搬送する。【解決手段】乳幼児とペットを同時に搬送できるベビーカー１であって、昇降可能であって、乳幼児が着席する座部１０と、座部１０の下に設けられ、鉛直方向に伸縮自在であって、ペットを収納可能な収納部２０と、収納部２０においてペットを収納しているときには座部１０を高い位置に設定し、収納部２０においてペットを収納していないときには座部１０を低い位置に設定するための調整部６０と、を備える。【選択図】図１
2010235106.tif 000002
【特許請求の範囲】
【請求項１】
乳幼児とペットを同時に搬送できるベビーカーであって、
昇降可能であって、前記乳幼児が着席する座部と、
前記座部の下に設けられ、鉛直方向に伸縮自在であって、前記ペットを収納可能な収納部と、
前記収納部において前記ペットを収納しているときには前記座部を高い位置に設定し、前記収納部において前記ペットを収納していないときには前記座部を低い位置に設定するための調整部と、
を備えることを特徴とするベビーカー。
【発明の詳細な説明】
【技術分野】
【０００１】  本願発明は、乳幼児とペットを同時に搬送できるベビーカーに関する。
【背景技術】
【０００２】  乳幼児を搬送可能なベビーカーは従来より知られている（例えば、特許文献１）。また、ペットを搬送可能なペット搬送装置に関する技術は特許文献２に開示されている。
【先行技術文献】
【特許文献】
【０００３】
【特許文献１】特開２００５−２７１６４７号公報
【特許文献２】特開２００９−３４０８３号公報
【発明の概要】
【発明が解決しようとする課題】
【０００４】  しかしながら、乳幼児とペットを同時に搬送できるベビーカーはこれまでなかった。
本願発明はかかる従来の課題に鑑みて成されたもので、乳幼児とペットを同時に搬送できるベビーカーを提供することを目的とする。
【課題を解決するための手段】
【０００５】  前記課題を解決するための主たる発明は、乳幼児とペットを同時に搬送できるベビーカーであって、昇降可能であって、前記乳幼児が着席する座部と、前記座部の下に設けられ、鉛直方向に伸縮自在であって、前記ペットを収納可能な収納部と、前記収納部において前記ペットを収納しているときには前記座部を高い位置に設定し、前記収納部において前記ペットを収納していないときには前記座部を低い位置に設定するための調整部と、を備えることを特徴とするベビーカーである。
【発明の効果】
【０００６】  乳幼児とペットを同時に搬送できる。
【図面の簡単な説明】
【０００７】
【図１】ペットを収納しているときのベビーカー１を示す図である。
【図２】ペットを収納していないときのベビーカー１を示す図である。
【特許を実施するための形態】
【０００８】  図１は、本願発明に係るベビーカーの一実施形態であるベビーカー１であって、ペットを収納しているときのベビーカー１を示す図である。また、図２は、ペットを収納していないときのベビーカー１を示す図である。図１および図２に示すように、ベビーカー１は、座部１０と収納部２０とフレーム３０と車輪４０と把持部５０と調整部６０とを備える。
【０００９】  座部１０は、乳幼児が着席する座席である。ここで乳幼児には体重が２０キロ以下の乳児または幼児であってベビーカーを利用する児童を想定しており、座部１０は２０キロ程度の荷重に十分に耐えられる強度を有する。また、座部１０は、乳幼児の着席時には座部１０から乳幼児が滑り落ちないように保持するシートベルトを備える。
【００１０】  収納部２０は、概直方体形状であってペットを収納する。ここでペットには体重が２０キロ以下の犬を想定しており、収納部２０の各辺は２０キロ程度の荷重に十分に耐えられる強度を有する。また、収納部３０は、犬が出入りするための出入り口２２を有する。出入り口２２は、ファスナーが取り付けられており人の手によって開閉可能となっている。
【００１１】  また、収納部２０は、ペットを収納しないときには、図２に示すように折りたたむ等して縦方向に圧縮して片付けることができる。
【００１２】  フレーム３０は、座部１０および収納部２０を支持する。
【００１３】  車輪４０は、ベビーカー１が前後方向および左右方向に自在に移動可能となるようにフレーム３０を支持する。車輪４０とフレーム３０とは、車輪４０が路面から受ける衝撃を緩和するためのばねやダンパー等の緩衝部（不図示）を介して接続される。
【００１４】  把持部５０は、ベビーカー１の操縦者が持つ部分である。操縦者は、把持部５０を押したり引いたりすることによって所望の方向へベビーカー１を移動させる。
【００１５】  調整部６０は、フレーム３０における座部１０の取り付け位置を変更することによって、座部１０の高さを上下に調整する。例えば、座部１０にはピンが設けられており、ピンはフレーム３０に対して着脱可能となっている。収納部３０においてペットを収納するときは、調整部６０を操作して座部１０を高い位置に設定し、収納部３０においてペットを収納しないときは、調整部６０を操作して座部１０を低い位置に設定する。
【００１６】  以上の通り、本実施形態のベビーカー１によれば、乳幼児とペットを同時に搬送することができる。
【００１７】  例えば、マンションに住み、ペットを飼っている乳幼児を抱えるご家庭において、ペットの散歩時には、乳幼児とペットを同時に連れ出す必要がある。しかも、ペットは、エレベーターや廊下などの共用スペースにおいて、抱きかかえるかペット用バギーに乗せる必要がある。乳幼児もまた抱きかかえるかベビーカーに乗せる必要がある。これまでは、こうした状況において、乳幼児とペットのいずれか一方をペット用バギー又はベビーカーに乗せつつ、他方を抱きかかえていた。しかし、本実施形態のベビーカーがあれば、乳幼児とペットを同時に搬送でき、とても便利である。
【００１８】  なお、ベビーカー１がペットを収納しているときには、座部１０は高い位置にあるが、ペットが座部１０の下にある収納部２０に収納されており、ベビーカー１全体の重心は低い位置に維持され、走行安定性は確保できる。
【００１９】  ところで、乳幼児のみを連れて出かけるときには、乳幼児の座部１０が高い位置のままではベビーカー１の重心が高くなってしまう。そうすると、ベビーカー１の走行安定性が確保できないおそれがある。そこで、ペットを収納部２０に収納していないときは、座部１０を低い位置に設定し、ベビーカー１の重心を低い位置にすることによって、ベビーカー１の走行安定性を確保できる。
【符号の説明】
【００２０】  １  ベビーカー
１０  座部
２０  収納部
２２  出入り口
３０  フレーム
４０  車輪
５０  把持部
６０  調整部
【図１】
2010235106.tif 000003
【図２】
2010235106.tif 000004
(57)【要約】      （修正有）【課題】送られてきた封筒をはさみ等を使わずに簡単に開封でき、しかも、間違って中身の手厚紙等を破ることもない簡単開封封筒を提供する。【解決手段】送られてきた封筒（４）を簡単に開封できるよう、あける部分の裏表にミシン目（１）を打った封筒（４）の、そのミシン目（１）の端に近い方を厚紙、プラスチック、板、金具等（２）で補強したもので、さらに、補強する部分を全面的にのりづけ（３）してしまった封筒（４）である。【選択図】図２
2010235124.tif 000002
【特許請求の範囲】
【請求項１】
封筒の開封予定線より端に近い部分において、封筒の前記開封予定線より端に近い部分と同一形状の、封筒とは別個の補強部分の両面を、前記封筒の開封予定線より端に近い部分の内面にのりづけすることにより、前記封筒の開封予定線より端に近い部分を補強することによって、より簡単に封筒の開封予定線より開封できるようにした簡単開封封筒。
【請求項２】
請求項１において既述の簡単開封封筒において、封筒の開封予定線部分にミシン目を打つことによって、より簡単に封筒の開封予定線より開封できるようにした簡単開封封筒。
【請求項３】
請求項１において既述の簡単開封封筒において、補強部分を簡易刃物型とすることによって、より簡単に封筒の開封予定線より開封できるようにした簡単開封封筒。
【発明の詳細な説明】
【技術分野】
【０００１】
この発明は、送られてきた封筒をはさみ等を使わずに簡単に開封でき、さらに間違って中身の手厚紙等を破らずにすむ、封筒の細工に関するものである。
【背景技術】
【０００２】
従来より、送られてきた封筒をあける際には、はさみ等を用意しなければならず、また注意しないと中身の手厚紙等を破ってしまう恐れがあった。そこで開発されたのが、あける部分の裏表にミシン目を打った封筒であり、また、そのミシン目の端に近い方を厚紙等で補強した封筒であった。
【発明の開示】
【発明が解決しようとする課題】
【０００３】
以前に比べて、幾分あけ易くなったものの、やはり封筒は今一歩あけにくく、また注意しないと、中身の手厚紙等を破ってしまうかもしれないという欠点があった。
本発明は、この欠点を解決するためになされたものである。
【課題を解決するための手段】
【０００４】
請求項１に記載の発明は、送られてきた封筒（４）を簡単に開封できるよう、あける部分の裏表にミシン目（１）を打ち、そのミシン目（１）の端に近い方を厚紙等（２）で補強したもので、補強する部分を全面的にのりづけ（３）してしまった封筒（４）である。
【０００５】
請求項２に記載の発明は、請求項１で、補強につかう厚紙等（２）を簡易ノコギリ型や簡易刃物型等にして、より簡単にミシン目（１）が切れるようにした封筒（４）である。
本発明は、以上の構成よりなる簡単開封封筒である。
【発明の効果】
【０００６】
本発明を使用することによって、送られてきた封筒をはさみ等を使わずに簡単に開封でき、しかも、間違って中身の手紙等を破ることもない。
【発明を実施するための最良の形態】
【０００７】
以下、本発明の実施の形態を説明する。
請求項１に記載の発明は、送られてきた封筒（４）を簡単に開封できるよう、あける部分の裏表にミシン目（１）を打った封筒（４）の、そのミシン目（１）の端に近い方を厚紙、プラスチック、板、金具等（２）で補強したもので、さらに、補強する部分を全面的にのりづけ（３）してしまった封筒（４）である。
封筒（４）をあける際には、ミシン目（１）両側の一方を押さえて、他方を引くが、補強することによって、動作がしやすくなり、即ちミシン目（１）で切れやすくなる。
また、全面的にのりづけ（３）してしまうことによって、中身の手紙等（５）は封筒（４）の内部をうろつかず、注意しなくても、傷つけず簡単に開封できる。
【０００８】
請求項２に記載の発明は、請求項１で補強につかう厚紙等（２）を、簡易ノコギリ型や簡易刃物型等にして、より簡単にミシン目（１）が切れるようにした封筒（４）である。
封筒（４）は、郵送時にはミシン目（１）が切れにくく、開封時にはその逆であるというのが理想だが、開封時に封筒（４）を切る要因を一つから二つにする事によって、両者の力関係の調整が可能となり、さらに切れ難いミシン目（１）を用いて、その理想に近づこうというのが本発明の趣旨である。
本発明は、以上の構成よりなる簡単開封封筒である。
【図面の簡単な説明】
【０００９】
【図１】請求項１に係る斜視図。封を閉じる前の図。
【図２】請求項１に係る別図。封を閉じる前の図。
【図３】請求項１に係る斜視図。封を閉じた後の図。
【図４】請求項１に係る別図。封を閉じた後の図。
【図５】請求項２に係る斜視図。封を閉じた後の図。簡易ノコギリ型。
【図６】請求項２に係る別図。封を閉じた後の図。簡易刃物型。
【符号の説明】
【００１０】
１ミシン目
２厚紙、プラスチック、板、金具等による補強
３のりづけ
４封筒
５手紙  
【図１】
2010235124.tif 000003
【図２】
2010235124.tif 000004
【図３】
2010235124.tif 000005
【図４】
2010235124.tif 000006
【図５】
2010235124.tif 000007
【図６】
2010235124.tif 000008
(57)【要約】      （修正有）【課題】プラスチック製の匡体構造に構成されたストロボの二次電池収納近傍に放熱板を配置することによって二次電池の充電の際の発熱を放熱・拡散し、使用者が匡体の熱さで驚かないようにし、しかも早くに電池の発熱温度を引き下げることができるストロボ匡体収納電池の放熱装置を提供する。【解決手段】カメラに外付けされ、前記カメラの光量を補う二次電池４を収納したプラスチック製のストロボ本体において、前記二次電池収納箇所３に前記二次電池が充電される際の発熱を放熱する放熱板６を配置してなることを特徴としたストロボ匡体収納電池の放熱装置。【選択図】図１
2010054538.tif 000002
【特許請求の範囲】
【請求項１】
カメラに外付けされ、前記カメラの光量を補う二次電池を収納したプラスチック製のストロボ本体において、前記二次電池収納箇所に前記二次電池が充電される際の発熱を放熱する放熱板を配置してなることを特徴としたストロボ匡体収納電池の放熱装置。
【請求項２】
前記放熱板は二次電池の配置形状に沿わせて配置してなることを特徴とする請求項１記載のストロボ匡体収納電池の放熱装置。
【発明の詳細な説明】
【技術分野】
【０００１】
本発明は、所謂、外付けストロボの匡体に収納された電池の放熱装置に関するものである。
【背景技術】
【０００２】
例えば、デジタルカメラ等による被写体撮影時においてカメラのストロボ光量が不足する場合、外付けのストロボを補助として照射する手段がとられるが、この照射に利用される電池は充電ができる二次電池が採用されている。この二次電池はストロボの閃光後に充電されるが、この充電時に電池が熱くなり、プラスチック製のストロボ匡体も熱くなって使用者が驚くことがある。勿論、プラスチック匡体が融けるといったことは無いが。
【０００３】
従来、発熱箇所に発熱した熱を拡散・放熱する放熱板が考えられているが発熱・放熱の用途に従って使い分けられている。特許文献１では電子部品の発熱を放熱する構造の技術を示していて半導体などの電子部品を発熱から保護する技術をしめしている。
【特許文献１】特開２００８−１７７５５２号公報
【発明の開示】
【発明が解決しようとする課題】
【０００４】
本発明は、上記事情に鑑みてなされたものであり、プラスチック製の匡体構造に構成されたストロボの二次電池収納近傍に放熱板を配置することによって二次電池の充電の際の発熱を放熱・拡散し、使用者が匡体の熱さで驚かないようにし、しかも早くに電池の発熱温度を引き下げることができるストロボ匡体収納電池の放熱装置を提供するものである。
【課題を解決するための手段】
【０００５】
本発明は、カメラに外付けされ、前記カメラの光量を補う二次電池を収納したプラスチック製のストロボ本体において、前記二次電池収納箇所に前記二次電池が充電される際の発熱を放熱する放熱板を配置してなるので、ストロボの使用者を熱で驚かすことがなくしかも電池の降熱も計れるものである。
【発明の効果】
【０００６】
請求項１及び２の記載の発明によれば、二次電池の充電時の発熱を放熱でき、しかも放熱量も増加できるストロボ匡体収納電池の放熱装置を提供できる。
【発明を実施するための最良の形態】
【０００７】
本発明は、二次電池の収納箇所にこの二次電池の配置形状に沿わせて放熱板を配置し、しかも放熱板は放熱効果を高めるために蛇腹形状（波型）に構成し、この蛇腹（波型）方向と二次電池の軸方向とを一致させることで二次電池表面に放熱板を、添設でき一層の放熱を期待できるものである。
【実施例】
【０００８】
以下に、本発明の実施例に係るストロボ匡体収納電池の放熱装置について図面１乃至図面３を参照して詳細に説明する。
【０００９】
１はストロボ本体で、このストロボ本体１はカメラの光量を補う為に採用される従来のもので、発光部２の頂部には電池収納室３が構成されている。電池収納室３には円筒型電池４が数本、並行に収納されていて、発光部２の発光に供されるものである。円筒型電池４は発光が終了すると充電されるもので、充電中に発熱を生じる。前記電池収納室３には蓋５が発光部２側で口開し、発光部２側に対向する辺側で軸支され開閉できるようになっている。
【００１０】
この電池収納室３の電池の蓋５の裏側には放熱坂６が取り付けてある。放熱板６は接着で接着されて全体的に蛇腹（波型）で波の頂部が前記収納されている複数の円筒型電池４の軸方向に一致している。これによって放熱板６は複数の円筒型電池４に沿って配置できる。従って収納された円筒型電池４の発熱を効率良く放熱することができる。
【００１１】
上述した本実施例では放熱板を蛇腹（波型）型にしたが、これに限らず柔軟性のある放熱シートを蓋に貼ることで電池収納室内での占有面積を小さくでき、一層効果的である。又放熱材はグラスウールと言ったものがよい。
【産業上の利用可能性】
【００１２】
本発明のストロボ匡体収納電池の放熱装置は放熱面積を広げ、しかも、収納電池に沿って配置されるので放熱効果が向上し使用者を熱で驚かすことが無く、しかも単純な構造で実現できるものである。
【図面の簡単な説明】
【００１３】
【図１】本発明の実施例に係るストロボ匡体収納電池の放熱装置の斜視図である。
【図２】図１の概略構成図である。
【図３】図１の放熱装置の放熱板の形状の斜視図である。
【符号の説明】
【００１４】
１    ストロボ本体
２    発光部
３    電池収納室
４    電池
５    蓋
６    放熱板
【図１】
2010054538.tif 000003
【図２】
2010054538.tif 000004
【図３】
2010054538.tif 000005